(57)【要約】【課題】会同する上下羽根の上端と吹出口上端との隙間を最小限にして意匠性の向上を図り、送風性能を向上した空気調和機を提供すること。【解決手段】送風ファン３から吹出口８に至る送風路１の吹出口側上面１ａに上下羽根５の回動を妨げないように、風の流れに略直角方向に長手方向を持ち断面が凹状の溝部４を設け、上下羽根５閉時には上下羽根５上端と吹出口８上端が略一致して、上下羽根５の上端と吹出口８上端との隙間を最小限とすることにより、意匠性が向上し、送風路１を必要以上に大きく設ける必要がないので風回路の静圧が上がり、送風性能を向上できる。【選択図】図１
2006200878.tif 000002
【特許請求の範囲】
【請求項１】
送風ファンと、回動して送風を上下方向に吹き分ける上下羽根を吹出口に備え、前記送風ファンから前記吹出口に至る送風路を具備した空気調和機の室内ユニットであって、前記送風路の前記吹出口側上面に、前記上下羽根の回動を妨げないように風の流れに略直角方向に長手方向を持ち断面が凹状の溝部を設け、前記上下羽根上端が前記吹出口上端と略一致する事を特徴とする空気調和機。
【請求項２】
送風路の吹出口側上面の溝部の上流側に前記溝部に略平行に断面が凸状の第１の隆起部を設けた請求項１に記載の空気調和機。
【請求項３】
送風路上面の第１の隆起部の断面縁部の形状を円弧状にする請求項１または２に記載の空気調和機。
【請求項４】
送風路上面の溝部と第１の隆起部は、それぞれの表面の曲面が滑らかに連続して接続する請求項２または３に記載の空気調和機。
【請求項５】
送風路の吹出口側下面に風の流れに略直角方向に長手方向を持ち断面が凸状の第２の隆起部を設けた請求項１〜４のいずれか１項に記載の空気調和機。
【請求項６】
送風路下面の第２の隆起部の表面の曲面の形状は、送風路と滑らかに連続して接続する請求項５に記載の空気調和機。
【請求項７】
送風路下面の第２の隆起部の表面の形状を平面とし、送風路に接続した請求項５に記載の空気調和機。
【発明の詳細な説明】
【技術分野】
【０００１】
本発明は吹出口に回動する上下羽根を有する空気調和機に関するものである。
【背景技術】
【０００２】
従来、この種の空気調和機は、送風ファンから吹出口に至る送風路の上面は横断面から見て直線となっている。また、送風路の下面は上流から続く曲線と滑らかに連続した形状となっている（例えば、特許文献１参照）。
【０００３】
図３は、特許文献１に記載された従来の空気調和機の横断面図を示すものである。図３に示すように、送風ファン３と、上下羽根５と、吹出口８と、送風ファンから吹出口に至る送風路１とから構成されている。空気調和機内に吸い込まれた空気は、熱交換された後、送風ファン３によって送風路１を通って吹出口８へ送風され、回動軸９を中心に回動する上下羽根５によって上下方向に吹き分けられながら室内に供給される。
【特許文献１】特開２００２−１０６９４８号公報
【発明の開示】
【発明が解決しようとする課題】
【０００４】
しかしながら、前記従来の構成では、上下羽根が回転することで動作するため、上下羽根の回転軌道と送風路が当たらないように、上下羽根の上端と送風路上面間とを広げなければならず、上下羽根閉時に吹出口上端との間に隙間が出来てしまうという課題を有していた。
【０００５】
本発明は、前記従来の課題を解決するもので、上下羽根の上端と吹出口上端との隙間を最小限にして意匠性の向上を図り、送風性能を向上した空気調和機を提供することを目的とする。
【課題を解決するための手段】
【０００６】
前記従来の課題を解決するために、本発明の空気調和機は、送風路の吹出口側上面に、上下羽根の回動を妨げないように、風の流れに略直角方向に長手方向を持ち断面が凹状の溝部を設け、上下羽根上端が吹出口上端と略一致する構成としたものである。
【０００７】
これによって、上下羽根が回動しても上下羽根の回転軌道と送風路が当たらずに上下羽根上端を吹出口上端と略一致させることができ、更に送風路を必要以上に大きく設ける必要がなく、上下羽根による整流も容易となるので送風性能が向上できる。
【発明の効果】
【０００８】
本発明の空気調和機は、上下羽根の上端と吹出口上端との隙間を最小限にできるので意匠性の向上が図れ、送風路形状を必要な部分だけ凹ませることで送風路を必要以上に大きく設ける必要がないので送風性能が向上し、また上下羽根の回動軸を送風の中心付近に設置することができるので上下方向の整流が容易となり更に送風性能が向上した空気調和機を提供することができる。
【発明を実施するための最良の形態】
【０００９】
第１の発明は、送風ファンと、回動して送風を上下方向に吹き分ける上下羽根を吹出口に備え、送風ファンから吹出口に至る送風路の吹出口側上面に、上下羽根の回動を妨げないように風の流れに略直角方向に長手方向を持ち断面が凹状の溝部を設け、上下羽根上端が吹出口上端と略一致する構成とすることにより、上下羽根の上端と吹出口上端との隙間
を最小限にできるので意匠性の向上が図れ、送風路を必要以上に大きく設ける必要がなく、上下羽根による整流も容易となるので送風性能を向上できる。
【００１０】
第２の発明は、特に、第１の発明の送風路の吹出口側上面の溝部の上流側に溝部に略平行に断面が凸状の第１の隆起部を設けたことにより、送風路の静圧が上がり、安定した送風ができるので更に送風性能を向上できる。
【００１１】
第３の発明は、特に、第１または第２の発明の送風路上面の第１の隆起部の断面縁部の形状を円弧状にすることにより、送風路の通風抵抗が低くなり、更に送風性能を向上できる。
【００１２】
第４の発明は、特に、第２または第３の発明の送風路上面の溝部と第１の隆起部を、それぞれの表面の曲面が滑らかに連続して接続する構成とすることにより、送風路の通風抵抗がより低くなり、更に送風性能を向上できる。
【００１３】
第５の発明は、特に、第１〜４のいずれか１つの発明の送風路の吹出口側下面に、風の流れに略直角方向に長手方向を持ち断面が凸状の第２の隆起部を設けたことにより、送風路の静圧が上がり、安定した送風ができるので更に送風性能を向上できる。
【００１４】
第６の発明は、特に、第５の発明の送風路下面の第２の隆起部の表面の曲面の形状を、送風路と滑らかに連続して接続する構成とすることにより、送風路の通風抵抗が低くなり、更に送風性能を向上できる。
【００１５】
第７の発明は、特に、第５の発明の送風路下面の第２の隆起部の表面の形状を平面とし、送風路に接続することにより、送風路の通風抵抗が低くなり、更に送風性能を向上できる。
【００１６】
以下、本発明の実施の形態について、図面を参照しながら説明する。なお、この実施の形態によって本発明が限定されるものではない。
【００１７】
（実施の形態１）
図１は、本発明の第１の実施の形態における空気調和機の横断面図を示すものである。
【００１８】
図１において、空気調和機内に吸い込まれた空気は、熱交換された後、送風ファン３によって送風路１を通って吹出口８へ送風され、回動軸９を中心に回動する上下羽根５によって上下方向に吹き分けられながら室内に供給される。
【００１９】
送風ファン３から吹出口８に至る送風路１の吹出口側上面１ａには、上下羽根５の回動を妨げないように上下羽根５の回転軌道と略相似形で、風の流れに略直角方向に長手方向を持ち、断面形状が円弧の溝部４を設け、上下羽根５閉時には上下羽根５上端と吹出口８上端が略一致して、上下羽根５の上端と吹出口８上端との隙間を最小限にしている。
【００２０】
また、送風路１の吹出口側上面１ａの溝部４の上流側には、送風路上面１ａの溝部４に略平行に溝部４とそれぞれの表面の曲面が滑らかに連続して接続する、断面縁部形状が円弧状の第１の隆起部６を設けている。
【００２１】
更に、送風路１の吹出口側下面１ｂに、表面の曲面の形状が送風路１と滑らかに連続して接続する、風の流れに略直角方向に長手方向を持ち、断面が凸状の第２の隆起部７を設けている。
【００２２】
以上のように構成された空気調和機について、以下その動作、作用を説明する。
【００２３】
まず、空気調和機が停止している時には上下羽根５が閉じて上下羽根５上端と吹出口８上端が略一致して、上下羽根５の上端と吹出口８上端との隙間が最小限となっているため、ユーザから空気調和機内部が見えず、外観上すっきりして好ましく、意匠性が向上する。また、不使用時に塵埃等が空気調和機内部に入り込むことを防止し、内部の汚れ防止に繋がり、空気調和機の性能低下を抑えることができる。更に従来のように上下羽根５の回動を妨げないように上下羽根５の上端と吹出口８上端との隙間を十分に取った場合と比較すると、送風路１を必要以上に大きく設ける必要がないので風回路の静圧が上がり、吹出口８からの逆流やそれに伴うバサツキ音の発生もなく、送風性能が向上する。
【００２４】
更に、上下羽根５の回動軸９を中心寄りに設定することができるので、上下羽根５を吹出口８からの送風の中心付近に設置することができ、整流が容易となるので送風性能を向上できる。特に上方向への整流効果が期待できるので、風を直接ユーザに当てないような上吹出制御にも利用できる。また、上下羽根５の回動軸９を中心寄りに設定することができるので、羽根にかかるトルクが小さくなり、ステッピングモーターなどの上下羽根５の駆動力を小さくすることができ、安価な部品を使用することができる。
【００２５】
次に、送風路１の吹出口側上面１ａの溝部４の上流側に、送風路上面１ａの溝部４に略平行に溝部４とそれぞれの表面の曲面が滑らかに連続して接続する、断面縁部形状が円弧状の第１の隆起部６を設けることで、凸の分だけ送風路面積が狭くなって風回路の静圧が上がり、断面縁部形状が円弧状の第１の隆起部６を送風路上面の溝部４と滑らかに連続して接続することで、通風抵抗が少なくなり、剥離などが起こりにくく、流れが送風路面に沿ってスムースに流れ、送風性能が向上する。
【００２６】
また、送風路１の吹出口側下面１ｂに、表面の曲面の形状が送風路１と滑らかに連続して接続する、風の流れに略直角方向に長手方向を持ち、断面が凸状の第２の隆起部７を設けることにより、凸の分だけ送風路面積が狭くなって風回路の静圧が上がり、第２の隆起部７を送風路下面１ｂと滑らかに連続して接続することで、通風抵抗が少なくなり、剥離などが起こりにくく、流れが送風路面に沿ってスムースに流れ、送風性能が向上する。
【００２７】
以上のように、本実施の形態においては送風ファンから吹出口に至る送風路の吹出口側上面に、上下羽根の回動を妨げないように風の流れに略直角方向に長手方向を持ち断面が凹状の溝部を設けて上下羽根上端が吹出口上端と略一致する構成とし、送風路の吹出口側上面の溝部の上流側には、溝部に略平行に溝部とそれぞれの表面の曲面が滑らかに連続して接続する断面縁部形状が円弧状の第１の隆起部を設け、送風路の吹出口側下面に、表面の曲面の形状が送風路と滑らかに連続して接続する風の流れに略直角方向に長手方向を持ち断面が凸状の第２の隆起部を設けることにより、上下羽根閉時には上下羽根上端と吹出口上端が略一致して、上下羽根の上端と吹出口上端との隙間を最小限にできるので意匠性の向上が図れ、送風路面積を小さくできるので静圧が上昇し、上下羽根の回動軸を中心寄りに設定することができるので上下羽根による整流も容易となるので送風性能を向上することができる。
【００２８】
また、本実施の形態では図２の本発明の別の実施の形態における空気調和機の横断面図に示すように、送風路下面１ｂの第２の隆起部７の形状を平面とし、送風路１に接続することによっても、送風路面積が狭くなって風回路の静圧が上がり、通風抵抗が少なくなり、剥離などが起こりにくく、流れが送風路面に沿ってスムースに流れ、送風性能が向上する。
【産業上の利用可能性】
【００２９】
以上のように、本発明にかかる空気調和機は、吹出口に回動する上下羽根と吹出口との隙間を最小限にできるので意匠性の向上が図れ、送風性能の向上が可能となるので、送風機や除湿機、ファンヒーター等の用途にも適用できる。
【図面の簡単な説明】
【００３０】
【図１】本発明の実施の形態１における空気調和機の横断面図
【図２】本発明の別の実施の形態における空気調和機の横断面図
【図３】従来の空気調和機の横断面図
【符号の説明】
【００３１】
１  送風路
１ａ  送風路上面
１ｂ  送風路下面
３  送風ファン
４  溝部
５  上下羽根
６  第１の隆起部（送風路上面）
７  第２の隆起部（送風路下面）
８  吹出口
９  回動軸
【図１】
2006200878.tif 000003
【図２】
2006200878.tif 000004
【図３】
2006200878.tif 000005